【手続補正書】
【提出日】平成15年9月2日(2003.9.2)
【手続補正１】
【補正対象書類名】明細書
【補正対象項目名】特許請求の範囲
【補正方法】変更
【補正の内容】
【特許請求の範囲】
【請求項１】
団体の旅行計画、費用報告及び旅行管理のためのクライアント−サーバシステムにおいて：
コンピュータ予約システム；
コンピュータ予約システムに通信可能に連結された関係データベースサーバ；及び
コンピュータユーザーと、旅行計画、費用報告及び旅行管理システムと関係データベースサーバとの間の通信のためのグラフィカルユーザーインターフェースを提供するパーソナルコンピュータ内に内在する旅行計画、費用報告及び旅行管理システム、
を含むシステム。
【請求項２】
関係データベースサーバが旅行者及び団体のプロファイルを蓄積し、それが旅行計画、費用報告及び旅行管理システムとコンピュータ予約システム間をインターフェースする、請求項１に記載の団体の旅行計画、費用報告及び旅行管理のためのクライアント−サーバシステム。
【請求項３】
旅行計画、費用報告及び旅行管理システムが更に旅行計画モジュール及び旅行費用報告モジュールを含む、請求項１に記載の団体の旅行計画、費用報告及び旅行管理のためのクライアント−サーバシステム。
【請求項４】
旅行計画モジュールが旅行費用が発生する前の旅行依頼の自動的な承認のための手段を含む、請求項３に記載の団体の旅行計画、費用報告及び旅行管理のためのクライアント−サーバシステム。
【請求項５】
旅行計画モジュールが航空機、ホテル及び車の用立てを含む非慣例的な旅行の計画及び予約のための一連のグラフィカルユーザーインターフェースを含む、請求項３に記載の団体の旅行計画、費用報告及び旅行管理のためのクライアント−サーバシステム。
【請求項６】
旅行計画モジュールが航空機、ホテル及び車の用立てを含むリピート旅行の計画及び予約のための一連のグラフィカルユーザーインターフェースを含む、請求項３に記載の団体の旅行計画、費用報告及び旅行管理のためのクライアント−サーバシステム。
【請求項７】
旅行費用報告モジュールが更に自動的な費用報告承認のための手段を含む、請求項３に記載の団体の旅行計画、費用報告及び旅行管理のためのクライアント−サーバシステム。
【請求項８】
旅行費用報告モジュールが関係データベースサーバから団体方針情報を提供するための一連のグラフィカルユーザーインターフェースを含む、請求項３に記載の団体の旅行計画、費用報告及び旅行管理のためのクライアント−サーバシステム。
【請求項９】
旅行費用報告モジュールが関係データベースサーバからの旅行データで予め母集団化されている一連のグラフィカルユーザーインターフェースを含む、請求項３に記載の団体の旅行計画、費用報告及び旅行管理のためのクライアント−サーバシステム。
【請求項１０】
旅行計画、費用報告及び旅行管理システムが、更に旅行前及び旅行後の報告を提供するための旅行計画モジュール及び費用報告モジュールからの情報を組み入れる旅行意思決定モジュールを含む、請求項３に記載の団体の旅行計画、費用報告及び旅行管理のためのクライアント−サーバシステム。
【請求項１１】
コンピュータ予約システムからの旅行情報を関係データベースサーバに提供するコンピュータ予約システムに通信可能に連結されている関係データベースサーバに通信可能に連結されたパーソナルコンピュータを用いる団体の旅行計画、費用報告及び旅行管理のための方法であって、その旅行計画、費用報告及び旅行管理システムが次の工程：
旅行依頼を準備する；
旅行の承認を得る；
費用報告を準備する；そして
費用報告の承認を得る、
を含む方法。
【請求項１２】
旅行依頼を準備する工程が更に次の工程：
新旅行アイコンを起動する；
関係データベースから団体方針データを提供する；
旅行の目的を指定する；
出発地及び目的地を選択する；
出発地から目的地への旅行のためのフライト時間を選択する；
目的地から出発地への帰路のためのフライト時間を選択する；
フライト情報の記録を作る；
ホテルアイコンを起動する；
ホテル情報を依頼する；
ホテルを選択する；
ホテル情報の記録を作る；
車アイコンを起動する；
車情報を依頼する；
車を選択する；
車情報の記録を作る；
値段アイコンを起動する；
低価格フライトを探索する；
低価格フライトを選択する；そして
予約のために旅行依頼を旅行代理店に送る、
を含む、請求項１１に記載の団体の旅行計画、費用報告及び旅行管理のための方法。
【請求項１３】
旅行依頼を準備する工程が更に次の工程：
リピート旅行アイコンを起動する；
リピート旅行を選択する；
旅行の日付を入力する；そして
予約のために旅行依頼を旅行代理店に送る、
を含む、請求項１１に記載の団体の旅行計画、費用報告及び旅行管理のための方法。
【請求項１４】
旅行の承認を得る工程が更に次の工程：
旅行依頼を承認者に電子的に送る；
関係データベースからの団体方針データを承認者に提供する；
旅行依頼を電子的に承認する；そして
承認を旅行者に電子的に通知する、
を含む、請求項１１に記載の団体の旅行計画、費用報告及び旅行管理のための方法。
【請求項１５】
費用報告を準備する工程が更に次の工程：
新費用報告アイコンを起動する；
費用の日付及び目的を指定する；
航空機、車、ホテル、食事及び業務接待費の明細を列挙する；
費用総額を計算する；
団体方針コンプライアンスをチェックする；
費用報告を作る；そして
費用報告を承認のために電子的に発送する、
を含む、請求項１１に記載の団体の旅行計画、費用報告及び旅行管理のための方法。
【請求項１６】
費用報告の承認を得る工程が更に次の工程：
費用報告を承認者に電子的に送る；
関係データベースからの団体方針データを承認者に提供する；
費用報告を電子的に承認する；そして
承認を旅行者に電子的に通知する、
を含む、請求項１１に記載の団体の旅行計画、費用報告及び旅行管理のための方法。
【請求項１７】
団体の旅行計画、費用報告及び旅行管理のためのクライアント−サーバシステムにおいて：
コンピュータ予約システム；
コンピュータ予約システムに通信可能に連結された関係データベースサーバ；及び
コンピュータユーザーと、旅行計画、費用報告及び旅行管理システムと関係データベースサーバ間の通信のためのグラフィカルユーザーインターフェースを提供するパーソナルコンピュータ内に内在する旅行計画、費用報告及び旅行管理システム、
を含み、更に
旅行計画、費用報告及び旅行管理システムが旅行計画モジュール、旅行費用報告モジュール及び旅行意思決定モジュールを含み、旅行計画モジュールが旅行費用が発生する前の旅行依頼の自動的な承認のための手段及び航空機、ホテル及び車の用立てを含む慣例的な及び非慣例的な旅行の計画及び予約のための一連のグラフィカルユーザーインターフェースを含み、旅行費用報告モジュールが自動的な費用報告承認のための手段及び自動的な費用報告承認及び発送のための手段を含み、そして旅行意思決定モジュールが旅行前及び旅行後の報告を提供するための旅行計画モジュール及び費用報告モジュールからの情報を組み入れる、
ものであるシステム。
【請求項１８】
関係データベースサーバが、旅行者及び団体のプロファイルを蓄積し、それが旅行計画、費用報告及び旅行管理システムとコンピュータ予約システム間をインターフェースする、請求項１７に記載の団体の旅行計画、費用報告及び旅行管理のためのクライアント−サーバシステム。
【手続補正２】
【補正対象書類名】明細書
【補正対象項目名】００１８
【補正方法】変更
【補正の内容】
【００１８】
団体の旅行計画及び管理のための本発明のクライアント−サーバシステム１０が図１に単純化されたプラットフォームダイヤグラムの形で示されている。本発明のクライアントインターフェースは、Ｗｉｎｄｏｗｓ、ＯＳ＼２、またはマッキントッシュのような適当なオペレーティングシステムを実行する如何なる通常のパーソナルコンピュータまたはクライアントワークステーション１２上で展開することができる。クライアントワークステーション１２は通常のネットワーク接続線１６経由でＥメールサーバ１４と通信状態にある。ＥメールシステムはＶＩＭまたはＭＡＰＩのような如何なる標準的なＥメールプロトコルをも操作できる。クライアントワークステーション１２はネットワーク接続線２０経由で団体のデータベースサーバ１８と通信状態にある。団体のデータベースサーバ１８はＯｒａｃｌｅまたはＳｙｂａｓｅのような如何なるオープン関係データベース環境も動作できる。団体のデータベースサーバ１８は３２−６４ＭＢのメモリを持つペンティアム（ＮＴ）またはユニックスであることができる。


【手続補正３】
【補正対象書類名】明細書
【補正対象項目名】００４５
【補正方法】変更
【補正の内容】
【００４５】
図９を参照すると、図３のユーティリティ機能７６の詳細ブロックダイヤグラムが示されている。バックオフィスデータ取り入れプロセス２５４は確定した頻度でＡＤＳまたはＴｒａｖｅｌＢａｓｅのような代理店バックオフィスシステム２５６からのデータの電子的な手渡しを作り出す。バックオフィスデータ取り入れプロセス２５４は切符、償還または交換に関連する代理店請求書番号が団体のデータベース１８によって得られるための手段である。